(57)【要約】【課題】比較的低温で成膜してもクリーニング時のエッチングレートを比較的小さくでき、もってクリーニング時の膜厚の制御性を向上させることができ、且つエッチングストッパ膜や層間絶縁膜等の絶縁膜として十分機能する絶縁膜を形成することができる成膜方法を提供する。【解決手段】複数枚の被処理体Ｗが収容されて真空引き可能になされた処理容器４内に、シラン系ガスと窒化ガスとボロン含有ガスと炭化水素ガスとを供給して被処理体の表面にＳｉＢＣＮ薄膜を形成する成膜方法において、シラン系ガスとボロン含有ガスと炭化水素ガスの３種類のガスの同時供給と窒化ガスの供給とを間欠的に且つ交互に行うようにする。これにより、比較的低温で成膜してもクリーニング時のエッチングレートを比較的小さくでき、クリーニング時の膜厚の制御性を向上させる。【選択図】図３
2006287194.tif 000002
【特許請求の範囲】
【請求項１】
複数枚の被処理体が収容されて真空引き可能になされた処理容器内に、シラン系ガスと窒化ガスとボロン含有ガスと炭化水素ガスとを供給して前記被処理体の表面にＳｉＢＣＮ薄膜を形成する成膜方法において、
前記シラン系ガスとボロン含有ガスと炭化水素ガスの３種類のガスの同時供給と前記窒化ガスの供給とを間欠的に且つ交互に行うようにしたことを特徴とする成膜方法。
【請求項２】
複数枚の被処理体が収容されて真空引き可能になされた処理容器内に、シラン系ガスと窒化ガスと炭化水素ガスとを供給して前記被処理体の表面にＳｉＣＮ薄膜を形成する成膜方法において、
前記シラン系ガスと炭化水素ガスの２種類のガスの同時供給と前記窒化ガスの供給とを間欠的に且つ交互に行うようにしたことを特徴とする成膜方法。
【請求項３】
複数枚の被処理体が収容されて真空引き可能になされた処理容器内に、窒化ガスとボロン含有ガスと炭化水素ガスとを供給して前記被処理体の表面にＢＣＮ薄膜を形成する成膜方法において、
前記ボロン含有ガスと炭化水素ガスの２種類のガスの同時供給と前記窒化ガスの供給とを間欠的に且つ交互に行うようにしたことを特徴とする成膜方法。
【請求項４】
前記炭化水素ガスの供給時と前記窒化ガスの供給時との間の間欠期間には、前記処理容器内は不活性ガスパージされていること及び／又は全てのガスの供給が停止されて真空引きされていることを特徴とする請求項１乃至３のいずれかに記載の成膜方法。
【請求項５】
複数枚の被処理体が収容されて真空引き可能になされた処理容器内に、シラン系ガスと窒化ガスとボロン含有ガスと炭化水素ガスとを供給して前記被処理体の表面に薄膜を形成する成膜方法において、
前記シラン系ガスとボロン含有ガスの２種類のガスを短時間だけ同時供給する第１工程と、
前記窒化ガスを短時間だけ供給してＳｉＢＮ薄膜を形成する第２工程と、
前記シラン系ガスと炭化水素ガスの２種類のガスを短時間だけ同時供給する第３工程と、
前記窒化ガスを短時間だけ供給してＳｉＣＮ薄膜を形成する第４工程とを、
前記順序に従って１回、または複数回繰り返し行うようにしたことを特徴とする成膜方法。
【請求項６】
前記シラン系ガスの供給時と前記窒化ガスの供給時との間の間欠期間には、前記処理容器内は不活性ガスパージされていること及び／又は全てのガスの供給が停止されて真空引きされていることを特徴とする請求項５記載の成膜方法。
【請求項７】
前記窒化ガスは、前記処理容器内で高周波電力によって発生したプラズマによって活性化されることを特徴とする請求項１乃至６のいずれかに記載の成膜方法。
【請求項８】
前記窒化ガスの供給開始から所定の時間が経過した後に、前記高周波電力が印加されることを特徴とする請求項７記載の成膜方法。
【請求項９】
前記薄膜の成膜時の温度は、３００℃〜７００℃の範囲内であることを特徴とする請求項１乃至８のいずれかに記載の成膜方法。
【請求項１０】
前記薄膜の成膜時の圧力は、１３Ｐａ（０．１Ｔｏｒｒ）〜１３３００Ｐａ（１００Ｔｏｒｒ）の範囲内であることを特徴とする請求項１乃至９のいずれかに記載の成膜方法。
【請求項１１】
前記シラン系ガスは、ジクロロシラン（ＤＣＳ）、ヘキサクロロジシラン（ＨＣＤ）、モノシラン［ＳｉＨ４ ］、ジシラン［Ｓｉ２ Ｈ６ ］、ヘキサメチルジシラザン（ＨＭＤＳ）、テトラクロロシラン（ＴＣＳ）、ジシリルアミン（ＤＳＡ）、トリシリルアミン（ＴＳＡ）、ビスターシャルブチルアミノシラン（ＢＴＢＡＳ）よりなる群より選択される１以上のガスであることを特徴とする請求項１乃至１０のいずれかに記載の成膜方法。
【請求項１２】
前記窒化ガスは、アンモニア［ＮＨ３ ］、窒素［Ｎ２ ］、一酸化二窒素［Ｎ２ Ｏ］、一酸化窒素［ＮＯ］よりなる群より選択される１以上のガスであることを特徴とする請求項１乃至１１のいずれかに記載の成膜方法。
【請求項１３】
前記ボロン含有ガスは、ＢＣｌ３ 、Ｂ２ Ｈ６ 、ＢＦ３ 、Ｂ（ＣＨ３ ）３ よりなる群より選択される１以上のガスであることを特徴とする請求項１乃至１２のいずれかに記載の成膜方法。
【請求項１４】
前記炭化水素ガスは、アセチレン、エチレン、メタン、エタン、プロパン、ブタンよりなる群より選択される１以上のガスであることを特徴とする請求項１乃至１３のいずれかに記載の成膜方法。
【請求項１５】
被処理体に対して所定の薄膜を形成するための成膜装置において、
真空引き可能になされた縦型の筒体状の処理容器と、
前記被処理体を複数段に保持して前記処理容器内に挿脱される保持手段と、
前記処理容器の外周に設けられる加熱手段と、
前記処理容器内へシラン系ガスを供給するシラン系ガス供給手段と、
前記処理容器内へ窒化ガスを供給する窒化ガス供給手段と、
前記処理容器内へボロン含有ガスを供給するボロン含有ガス供給手段と、
前記処理容器内へ炭化水素ガスを供給する炭化水素ガス供給手段と、
前記窒化ガスを活性化する活性化手段と、
前記シラン系ガスとボロン含有ガスと炭化水素ガスの３種類のガスの同時供給と前記窒化ガスの供給とを間欠的に且つ交互に行うように制御する制御手段と、
を備えたことを特徴とする成膜装置。
【請求項１６】
被処理体に対して所定の薄膜を形成するための成膜装置において、
真空引き可能になされた縦型の筒体状の処理容器と、
前記被処理体を複数段に保持して前記処理容器内に挿脱される保持手段と、
前記処理容器の外周に設けられる加熱手段と、
前記処理容器内へシラン系ガスを供給するシラン系ガス供給手段と、
前記処理容器内へ窒化ガスを供給する窒化ガス供給手段と、
前記処理容器内へ炭化水素ガスを供給する炭化水素ガス供給手段と、
前記窒化ガスを活性化する活性化手段と、
前記シラン系ガスと炭化水素ガスの２種類のガスの同時供給と前記窒化ガスの供給とを間欠的に且つ交互に行うように制御する制御手段と、
を備えたことを特徴とする成膜装置。
【請求項１７】
被処理体に対して所定の薄膜を形成するための成膜装置において、
真空引き可能になされた縦型の筒体状の処理容器と、
前記被処理体を複数段に保持して前記処理容器内に挿脱される保持手段と、
前記処理容器の外周に設けられる加熱手段と、
前記処理容器内へ窒化ガスを供給する窒化ガス供給手段と、
前記処理容器内へボロン含有ガスを供給するボロン含有ガス供給手段と、
前記処理容器内へ炭化水素ガスを供給する炭化水素ガス供給手段と、
前記窒化ガスを活性化する活性化手段と、
前記ボロン含有ガスと炭化水素ガスの２種類のガスの同時供給と前記窒化ガスの供給とを間欠的に且つ交互に行うように制御する制御手段と、
を備えたことを特徴とする成膜装置。
【請求項１８】
被処理体に対して所定の薄膜を形成するための成膜装置において、
真空引き可能になされた縦型の筒体状の処理容器と、
前記被処理体を複数段に保持して前記処理容器内に挿脱される保持手段と、
前記処理容器の外周に設けられる加熱手段と、
前記処理容器内へシラン系ガスを供給するシラン系ガス供給手段と、
前記処理容器内へ窒化ガスを供給する窒化ガス供給手段と、
前記処理容器内へボロン含有ガスを供給するボロン含有ガス供給手段と、
前記処理容器内へ炭化水素ガスを供給する炭化水素ガス供給手段と、
前記窒化ガスを活性化する活性化手段と、
前記シラン系ガスとボロン含有ガスの２種類のガスを短時間だけ同時供給する第１工程、前記窒化ガスを短時間だけ供給してＳｉＢＮ薄膜を形成する第２工程、前記シラン系ガスと炭化水素ガスの２種類のガスを短時間だけ同時供給する第３工程及び前記窒化ガスを短時間だけ供給してＳｉＣＮ薄膜を形成する第４工程を前記順序に従って１回、または複数回繰り返し行うように制御する制御手段と、
を備えたことを特徴とする成膜装置。
【請求項１９】
前記活性化手段は、前記処理容器に一体的に組み込まれていることを特徴とする請求項１５乃至１８のいずれかに記載の成膜装置。
【請求項２０】
前記活性化手段は、前記処理容器とは別体で形成されていることを特徴とする請求項１９記載の成膜装置。
【請求項２１】
複数枚の被処理体が収容されて真空引き可能になされた処理容器内に、シラン系ガスと窒化ガスとボロン含有ガスと炭化水素ガスとを供給して前記被処理体の表面にＳｉＢＣＮ薄膜を形成するようにした成膜装置を用いて薄膜を形成するに際して、
前記シラン系ガスとボロン含有ガスと炭化水素ガスの３種類のガスの同時供給と前記窒化ガスの供給とを間欠的に且つ交互に行うように前記成膜装置を制御するプログラムを記憶することを特徴とする記憶媒体。
【請求項２２】
複数枚の被処理体が収容されて真空引き可能になされた処理容器内に、シラン系ガスと窒化ガスと炭化水素ガスとを供給して前記被処理体の表面にＳｉＣＮ薄膜を形成するようにした成膜装置を用いて薄膜を形成するに際して、
前記シラン系ガスと炭化水素ガスの２種類のガスの同時供給と前記窒化ガスの供給とを間欠的に且つ交互に行うように前記成膜装置を制御するプログラムを記憶することを特徴とする記憶媒体。
【請求項２３】
複数枚の被処理体が収容されて真空引き可能になされた処理容器内に、窒化ガスとボロン含有ガスと炭化水素ガスとを供給して前記被処理体の表面にＢＣＮ薄膜を形成するようにした成膜装置を用いて薄膜を形成するに際して、
前記ボロン含有ガスと炭化水素ガスの２種類のガスの同時供給と前記窒化ガスの供給とを間欠的に且つ交互に行うように前記成膜装置を制御するプログラムを記憶することを特徴とする記憶媒体。
【請求項２４】
複数枚の被処理体が収容されて真空引き可能になされた処理容器内に、シラン系ガスと窒化ガスとボロン含有ガスと炭化水素ガスとを供給して前記被処理体の表面に薄膜を形成するようにした成膜装置を用いて薄膜を形成するに際して、
前記シラン系ガスとボロン含有ガスの２種類のガスを短時間だけ同時供給する第１工程と、
前記窒化ガスを短時間だけ供給してＳｉＢＮ薄膜を形成する第２工程と、
前記シラン系ガスと炭化水素ガスの２種類のガスを短時間だけ同時供給する第３工程と、
前記窒化ガスを短時間だけ供給してＳｉＣＮ薄膜を形成する第４工程とを、
前記順序に従って１回、または複数回繰り返し行うように前記成膜装置を制御するプログラムを記憶することを特徴とする記憶媒体。
【発明の詳細な説明】
【技術分野】
【０００１】
本発明は、半導体ウエハ等の被処理体に薄膜を形成する成膜方法、成膜装置及びこの成膜装置をコンピュータ制御するプログラムを記憶する記憶媒体に関する。
【背景技術】
【０００２】
一般に、半導体集積回路を製造するためにはシリコン基板等よりなる半導体ウエハに対して、成膜処理、エッチング処理、酸化処理、拡散処理、改質処理、自然酸化膜の除去処理等の各種の処理が行なわれる。これらの処理を特許文献１等に開示されている縦型の、いわゆるバッチ式の熱処理装置にて行う場合には、まず、半導体ウエハを複数枚、例えば２５枚程度収容できるカセットから、半導体ウエハを縦型のウエハボートへ移載してこれに多段に支持させる。このウエハボートは、例えばウエハサイズにもよるが３０〜１５０枚程度のウエハを載置できる。このウエハボートは、排気可能な処理容器内にその下方より搬入（ロード）された後、処理容器内が気密に維持される。そして、処理ガスの流量、プロセス圧力、プロセス温度等の各種のプロセス条件を制御しつつ所定の熱処理が施される。
【０００３】
ここで上記半導体集積回路の特性を向上させる要因の１つとして、集積回路中の絶縁膜の特性を向上させることは重要である。上記集積回路中の絶縁膜としては、一般的にはＳｉＯ２ 、ＰＳＧ（Ｐｈｏｓｐｈｏ  Ｓｉｌｉｃａｔｅ  Ｇｌａｓｓ）、Ｐ（プラズマ）−ＳｉＯ、Ｐ（プラズマ）−ＳｉＮ、ＳＯＧ（Ｓｐｉｎ  Ｏｎ  Ｇｌａｓｓ）、Ｓｉ３ Ｎ４ （シリコン窒化膜）等が用いられる。そして、特にシリコン窒化膜は、絶縁特性がシリコン酸化膜より比較的良好なこと、及びエッチングストッパ膜や層間絶縁膜としても十分に機能することから多用される傾向にある。また同様な理由でボロン窒化膜も用いられる傾向にある。
【０００４】
半導体ウエハの表面に上述したようなシリコン窒化膜を形成するには、成膜ガスとしてモノシラン（ＳｉＨ４ ）やジクロルシラン（ＳｉＨ２ Ｃｌ２ ）やヘキサクロロジシラン（Ｓｉ２ Ｃｌ６ ）、ビス  ターシャル  ブチルアミノシラン（ＢＴＢＡＳ）等のシラン系ガスを用いて熱ＣＶＤ（Ｃｈｅｍｉｃａｌ  Ｖａｐｏｒ  Ｄｅｐｏｓｉｔｉｏｎ）により成膜する方法が知られている。具体的には、シリコン窒化膜を堆積する場合には、ＳｉＨ２ Ｃｌ２ ＋ＮＨ３ （特許文献１参照）或いはＳｉ２ Ｃｌ６ ＋ＮＨ３ 等のガスの組み合わせで熱ＣＶＤによりシリコン窒化膜を形成している。
そして、上記絶縁膜の誘電率を小さくするためにシリコン窒化膜に不純物として例えばボロン（Ｂ）を添加して絶縁膜を形成するようにした提案もなされている（特許文献２）。
【０００５】
ところで、最近にあっては半導体集積回路の更なる高集積化及び高微細化の要求が強くなされており、回路素子の特性の向上を目的として半導体集積回路の製造工程における熱履歴も低減化することが望まれている。このような状況下において、縦型の、いわゆるバッチ式の縦型の処理装置においても、ウエハをそれ程の高温に晒さなくても目的とする処理が可能なことから、原料ガス等を間欠的に供給しながら原子レベルで１層〜数層ずつ、或いは分子レベルで１層〜数層ずつ繰り返し成膜する方法が知られている（特許文献３、４等）。このような成膜方法は一般的にはＡＬＤ（Ａｔｏｍｉｃ  Ｌａｙｅｒ  Ｄｅｐｏｓｉｔｉｏｎ）と称されている。
【０００６】
ここで従来の成膜方法としては、シラン系ガスであるジクロロシラン（以下、「ＤＣＳ」とも称す）と窒化ガスであるＮＨ３ ガスとを用いてシリコン窒化膜（ＳｉＮ）を形成している。具体的には、処理容器内に、ＤＣＳとＮＨ３ ガスとを交互に間欠的に供給し、ＮＨ３ ガスを供給する時にＲＦ（高周波）を印加してプラズマを立て、窒化反応を促進するようにしている。この場合、ＤＣＳを処理容器内へ供給することにより、ウエハ表面上にＤＣＳが分子レベルで一層、或いは複数層吸着し、そして余分なＤＣＳを不活性ガスパージ、或いは真空引きで排除した後、ＮＨ３ を供給してプラズマを立てることによって低温での窒化を促進して窒化膜を形成し、この一連の工程を繰り返し行っている。
【０００７】
【特許文献１】特開平６−３４９７４号公報
【特許文献２】特開平２−９３０７１号公報
【特許文献３】特開平６−４５２５６号公報
【特許文献４】特開平１１−８７３４１号公報
【発明の開示】
【発明が解決しようとする課題】
【０００８】
ところで、上述したような絶縁膜を形成した後に、この上に別の薄膜を形成する場合には、上記絶縁膜の表面が有機物やパーティクル等の汚染物が付着している可能性があるので、この汚染物を除去する目的で、上記半導体ウエハを希フッ酸等のクリーニング液に浸漬させて上記絶縁膜の表面をエッチングすることによりこの表面を非常に薄く削り取り、これにより上記汚染物を除去するクリーニング処理が行われる場合がある。
しかしながら、この場合、上記絶縁膜を例えば７６０℃程度の高温の熱ＣＶＤで成膜した場合には、このような高温の熱ＣＶＤで形成した絶縁膜のクリーニング時のエッチングレートはかなり小さいので、クリーニング時にこの絶縁膜が過度に削り取られることがなく、膜厚の制御性が良い状態でクリーニング処理を行うことができるが、下地層に耐熱性の低い薄膜が形成されている場合には、高温の熱ＣＶＤ処理を採用できない。
【０００９】
これに対して、上記絶縁膜を例えば４００℃程度の低い温度でＡＬＤ成膜した場合には、このような低温で形成した絶縁膜のクリーニング時のエッチングレートはかなり大きいので、クリーニング時にこの絶縁膜が過度に削り取られる場合が発生し、クリーニング処理時の膜厚の制御性が劣ってしまう、といった問題があった。またこのシリコン窒化膜は前述したようにエッチングストッパ膜や層間絶縁膜等の絶縁膜として使用する場合もあるが、この場合にはエッチングレートを十分に小さくする必要があり、従来の成膜方法では、この要請に十分に応えることはできなかった。
本発明は、以上のような問題点に着目し、これを有効に解決すべく創案されたものである。本発明の目的は、比較的低温で成膜してもクリーニング時のエッチングレートを比較的小さくでき、もってクリーニング時の膜厚の制御性を向上させることができ、且つエッチングストッパ膜や層間絶縁膜等の絶縁膜として十分機能する絶縁膜を形成することができる成膜方法、成膜装置及び記憶媒体を提供することにある。尚、本発明は、本出願人が先に出願した特願２００２−３８１８２６（特開２００３−２８２５６６号公報）に開示した発明の改良発明である。
【課題を解決するための手段】
【００１０】
請求項１に係る発明は、複数枚の被処理体が収容されて真空引き可能になされた処理容器内に、シラン系ガスと窒化ガスとボロン含有ガスと炭化水素ガスとを供給して前記被処理体の表面にＳｉＢＣＮ薄膜を形成する成膜方法において、前記シラン系ガスとボロン含有ガスと炭化水素ガスの３種類のガスの同時供給と前記窒化ガスの供給とを間欠的に且つ交互に行うようにしたことを特徴とする成膜方法である。
このように、上記シラン系ガスとボロン含有ガスと炭化水素ガスの３種類のガスの同時供給と前記窒化ガスの供給とを間欠的に且つ交互に行うようにしてＳｉＢＣＮ膜（シリコン・ボロン・カーボン窒化膜）を形成するようにしたので、比較的低温で成膜してもクリーニング時のエッチングレートを比較的小さくでき、もってクリーニング時の膜厚の制御性を向上させることができ、且つエッチングストッパ膜や層間絶縁膜等の絶縁膜として十分機能する絶縁膜を形成することができる。
【００１１】
請求項２に係る発明は、複数枚の被処理体が収容されて真空引き可能になされた処理容器内に、シラン系ガスと窒化ガスと炭化水素ガスとを供給して前記被処理体の表面にＳｉＣＮ薄膜を形成する成膜方法において、前記シラン系ガスと炭化水素ガスの２種類のガスの同時供給と前記窒化ガスの供給とを間欠的に且つ交互に行うようにしたことを特徴とする成膜方法である。
このように、上記シラン系ガスと炭化水素ガスの２種類のガスの同時供給と前記窒化ガスの供給とを間欠的に且つ交互に行うようにしてＳｉＣＮ膜（シリコン・カーボン窒化膜）を形成するようにしたので、比較的低温で成膜してもクリーニング時のエッチングレートを比較的小さくでき、もってクリーニング時の膜厚の制御性を向上させることができ、且つエッチングストッパ膜や層間絶縁膜等の絶縁膜として十分機能する絶縁膜を形成することができる。
【００１２】
請求項３に係る発明は、複数枚の被処理体が収容されて真空引き可能になされた処理容器内に、窒化ガスとボロン含有ガスと炭化水素ガスとを供給して前記被処理体の表面にＢＣＮ薄膜を形成する成膜方法において、前記ボロン含有ガスと炭化水素ガスの２種類のガスの同時供給と前記窒化ガスの供給とを間欠的に且つ交互に行うようにしたことを特徴とする成膜方法である。
このように、上記ボロン含有ガスと炭化水素ガスの２種類のガスの同時供給と前記窒化ガスの供給とを間欠的に且つ交互に行うようにしてＢＣＮ膜（ボロン・カーボン窒化膜）を形成するようにしたので、比較的低温で成膜してもクリーニング時のエッチングレートを比較的小さくでき、もってクリーニング時の膜厚の制御性を向上させることができ、且つエッチングストッパ膜や層間絶縁膜等の絶縁膜として十分機能する絶縁膜を形成することができる。
【００１３】
この場合、例えば請求項４に規定するように、前記炭化水素ガスの供給時と前記窒化ガスの供給時との間の間欠期間には、前記処理容器内は不活性ガスパージされていること及び／又は全てのガスの供給が停止されて真空引きされている。
【００１４】
請求項５に係る発明は、複数枚の被処理体が収容されて真空引き可能になされた処理容器内に、シラン系ガスと窒化ガスとボロン含有ガスと炭化水素ガスとを供給して前記被処理体の表面に薄膜を形成する成膜方法において、前記シラン系ガスとボロン含有ガスの２種類のガスを短時間だけ同時供給する第１工程と、前記窒化ガスを短時間だけ供給してＳｉＢＮ薄膜を形成する第２工程と、前記シラン系ガスと炭化水素ガスの２種類のガスを短時間だけ同時供給する第３工程と、前記窒化ガスを短時間だけ供給してＳｉＣＮ薄膜を形成する第４工程とを、前記順序に従って１回、または複数回繰り返し行うようにしたことを特徴とする成膜方法である。
【００１５】
このように、上記シラン系ガスとボロン含有ガスの２種類のガスを短時間だけ同時供給する第１工程と、上記窒化ガスを短時間だけ供給してＳｉＢＮ薄膜を形成する第２工程と、上記シラン系ガスと炭化水素ガスの２種類のガスを短時間だけ同時供給する第３工程と、上記窒化ガスを短時間だけ供給してＳｉＣＮ薄膜を形成する第４工程とを、上記順序に従って１回、または複数回繰り返し行うようにしてＳｉＢＮ膜（シリコン・ボロン窒化膜）とＳｉＣＮ膜（シリコン・カーボン窒化膜）との積層構造を形成するようにしたので、比較的低温で成膜してもクリーニング時のエッチングレートを比較的小さくでき、もってクリーニング時の膜厚の制御性を向上させることができ、且つエッチングストッパ膜や層間絶縁膜等の絶縁膜として十分機能する絶縁膜を形成することができる。
【００１６】
この場合、例えば請求項６に規定するように、前記シラン系ガスの供給時と前記窒化ガスの供給時との間の間欠期間には、前記処理容器内は不活性ガスパージされていること及び／又は全てのガスの供給が停止されて真空引きされている。
また例えば請求項７に規定するように、前記窒化ガスは、前記処理容器内で高周波電力によって発生したプラズマによって活性化される。
また例えば請求項８に規定するように、前記窒化ガスの供給開始から所定の時間が経過した後に、前記高周波電力が印加される。
また例えば請求項９に規定するように、前記薄膜の成膜時の温度は、３００℃〜７００℃の範囲内である。
【００１７】
また例えば請求項１０に規定するように、前記薄膜の成膜時の圧力は、１３Ｐａ（０．１Ｔｏｒｒ）〜１３３００Ｐａ（１００Ｔｏｒｒ）の範囲内である。
また例えば請求項１１に規定するように、前記シラン系ガスは、ジクロロシラン（ＤＣＳ）、ヘキサクロロジシラン（ＨＣＤ）、モノシラン［ＳｉＨ４ ］、ジシラン［Ｓｉ２ Ｈ６ ］、ヘキサメチルジシラザン（ＨＭＤＳ）、テトラクロロシラン（ＴＣＳ）、ジシリルアミン（ＤＳＡ）、トリシリルアミン（ＴＳＡ）、ビスターシャルブチルアミノシラン（ＢＴＢＡＳ）よりなる群より選択される１以上のガスである。
【００１８】
また例えば請求項１２に規定するように、前記窒化ガスは、アンモニア［ＮＨ３ ］、窒素［Ｎ２ ］、一酸化二窒素［Ｎ２ Ｏ］、一酸化窒素［ＮＯ］よりなる群より選択される１以上のガスである。
また例えば請求項１３に規定するように、前記ボロン含有ガスは、ＢＣｌ３ 、Ｂ２ Ｈ６ 、ＢＦ３ 、Ｂ（ＣＨ３ ）３ よりなる群より選択される１以上のガスである。
また例えば請求項１４に規定するように、前記炭化水素ガスは、アセチレン、エチレン、メタン、エタン、プロパン、ブタンよりなる群より選択される１以上のガスである。
【００１９】
請求項１５に係る発明は、被処理体に対して所定の薄膜を形成するための成膜装置において、真空引き可能になされた縦型の筒体状の処理容器と、前記被処理体を複数段に保持して前記処理容器内に挿脱される保持手段と、前記処理容器の外周に設けられる加熱手段と、前記処理容器内へシラン系ガスを供給するシラン系ガス供給手段と、前記処理容器内へ窒化ガスを供給する窒化ガス供給手段と、前記処理容器内へボロン含有ガスを供給するボロン含有ガス供給手段と、前記処理容器内へ炭化水素ガスを供給する炭化水素ガス供給手段と、前記窒化ガスを活性化する活性化手段と、前記シラン系ガスとボロン含有ガスと炭化水素ガスの３種類のガスの同時供給と前記窒化ガスの供給とを間欠的に且つ交互に行うように制御する制御手段と、を備えたことを特徴とする成膜装置である。
【００２０】
請求項１６に係る発明は、被処理体に対して所定の薄膜を形成するための成膜装置において、真空引き可能になされた縦型の筒体状の処理容器と、前記被処理体を複数段に保持して前記処理容器内に挿脱される保持手段と、前記処理容器の外周に設けられる加熱手段と、前記処理容器内へシラン系ガスを供給するシラン系ガス供給手段と、前記処理容器内へ窒化ガスを供給する窒化ガス供給手段と、前記処理容器内へ炭化水素ガスを供給する炭化水素ガス供給手段と、前記窒化ガスを活性化する活性化手段と、前記シラン系ガスと炭化水素ガスの２種類のガスの同時供給と前記窒化ガスの供給とを間欠的に且つ交互に行うように制御する制御手段と、を備えたことを特徴とする成膜装置である。
【００２１】
請求項１７に係る発明は、被処理体に対して所定の薄膜を形成するための成膜装置において、真空引き可能になされた縦型の筒体状の処理容器と、前記被処理体を複数段に保持して前記処理容器内に挿脱される保持手段と、前記処理容器の外周に設けられる加熱手段と、前記処理容器内へ窒化ガスを供給する窒化ガス供給手段と、前記処理容器内へボロン含有ガスを供給するボロン含有ガス供給手段と、前記処理容器内へ炭化水素ガスを供給する炭化水素ガス供給手段と、前記窒化ガスを活性化する活性化手段と、前記ボロン含有ガスと炭化水素ガスの２種類のガスの同時供給と前記窒化ガスの供給とを間欠的に且つ交互に行うように制御する制御手段と、を備えたことを特徴とする成膜装置である。
【００２２】
請求項１８に係る発明は、被処理体に対して所定の薄膜を形成するための成膜装置において、真空引き可能になされた縦型の筒体状の処理容器と、前記被処理体を複数段に保持して前記処理容器内に挿脱される保持手段と、前記処理容器の外周に設けられる加熱手段と、前記処理容器内へシラン系ガスを供給するシラン系ガス供給手段と、前記処理容器内へ窒化ガスを供給する窒化ガス供給手段と、前記処理容器内へボロン含有ガスを供給するボロン含有ガス供給手段と、前記処理容器内へ炭化水素ガスを供給する炭化水素ガス供給手段と、前記窒化ガスを活性化する活性化手段と、前記シラン系ガスとボロン含有ガスの２種類のガスを短時間だけ同時供給する第１工程、前記窒化ガスを短時間だけ供給してＳｉＢＮ薄膜を形成する第２工程、前記シラン系ガスと炭化水素ガスの２種類のガスを短時間だけ同時供給する第３工程及び前記窒化ガスを短時間だけ供給してＳｉＣＮ薄膜を形成する第４工程を前記順序に従って１回、または複数回繰り返し行うように制御する制御手段と、を備えたことを特徴とする成膜装置である。
【００２３】
この場合、例えば請求項１９に規定するように、前記活性化手段は、前記処理容器に一体的に組み込まれている。
また例えば請求項２０に規定するように、前記活性化手段は、前記処理容器とは別体で形成されている。
請求項２１に係る発明は、複数枚の被処理体が収容されて真空引き可能になされた処理容器内に、シラン系ガスと窒化ガスとボロン含有ガスと炭化水素ガスとを供給して前記被処理体の表面にＳｉＢＣＮ薄膜を形成するようにした成膜装置を用いて薄膜を形成するに際して、前記シラン系ガスとボロン含有ガスと炭化水素ガスの３種類のガスの同時供給と前記窒化ガスの供給とを間欠的に且つ交互に行うように前記成膜装置を制御するプログラムを記憶することを特徴とする記憶媒体である。
【００２４】
請求項２２に係る発明は、複数枚の被処理体が収容されて真空引き可能になされた処理容器内に、シラン系ガスと窒化ガスと炭化水素ガスとを供給して前記被処理体の表面にＳｉＣＮ薄膜を形成するようにした成膜装置を用いて薄膜を形成するに際して、前記シラン系ガスと炭化水素ガスの２種類のガスの同時供給と前記窒化ガスの供給とを間欠的に且つ交互に行うように前記成膜装置を制御するプログラムを記憶することを特徴とする記憶媒体である。
請求項２３に係る発明は、複数枚の被処理体が収容されて真空引き可能になされた処理容器内に、窒化ガスとボロン含有ガスと炭化水素ガスとを供給して前記被処理体の表面にＢＣＮ薄膜を形成するようにした成膜装置を用いて薄膜を形成するに際して、前記ボロン含有ガスと炭化水素ガスの２種類のガスの同時供給と前記窒化ガスの供給とを間欠的に且つ交互に行うように前記成膜装置を制御するプログラムを記憶することを特徴とする記憶媒体である。
【００２５】
請求項２４に係る発明は、複数枚の被処理体が収容されて真空引き可能になされた処理容器内に、シラン系ガスと窒化ガスとボロン含有ガスと炭化水素ガスとを供給して前記被処理体の表面に薄膜を形成するようにした成膜装置を用いて薄膜を形成するに際して、前記シラン系ガスとボロン含有ガスの２種類のガスを短時間だけ同時供給する第１工程と、前記窒化ガスを短時間だけ供給してＳｉＢＮ薄膜を形成する第２工程と、前記シラン系ガスと炭化水素ガスの２種類のガスを短時間だけ同時供給する第３工程と、前記窒化ガスを短時間だけ供給してＳｉＣＮ薄膜を形成する第４工程とを、前記順序に従って１回、または複数回繰り返し行うように前記成膜装置を制御するプログラムを記憶することを特徴とする記憶媒体である。
【発明の効果】
【００２６】
本発明に係る成膜方法、成膜装置及びこれをコンピュータ制御するプログラムを記憶する記憶媒体によれば、比較的低温で成膜してもクリーニング時のエッチングレートを比較的小さくでき、もってクリーニング時の膜厚の制御性を向上させることができ、且つエッチングストッパ膜や層間絶縁膜等の絶縁膜として十分機能する絶縁膜を形成することができる。
【発明を実施するための最良の形態】
【００２７】
以下に、本発明に係る成膜方法、成膜装置及び記憶媒体の一実施例を添付図面に基づいて詳述する。
図１は本発明の係る成膜装置の一例を示す縦断面構成図、図２は成膜装置（加熱手段は省略）を示す横断面構成図である。尚、ここではシラン系ガスとしてジクロロシラン（ＤＣＳ）を用い、窒化ガスとしてアンモニアガス（ＮＨ３ ）を用い、ボロン含有ガスとしてＢＣｌ３ ガスを用い、炭化水素ガスとしてＣ２ Ｈ４ ガス（エチレンガス）を用い、上記ＮＨ３ ガスをプラズマにより活性化して炭素含有の各種膜を成膜する場合を例にとって説明する。またここでは後述する本発明方法の各実施例で用いられる全てのガス供給手段について説明するが、実施例によっては用いないガス種もあり、そのような実施例を行う場合には当該ガスのガス供給手段は不要になるのは勿論である。
【００２８】
図示するように、プラズマを形成することができるこの成膜装置２は、下端が開口された有天井の円筒体状の処理容器４を有している。この処理容器４の全体は、例えば石英により形成されており、この処理容器４内の天井には、石英製の天井板６が設けられて封止されている。また、この処理容器４の下端開口部には、例えばステンレススチールにより円筒体状に成形されたマニホールド８がＯリング等のシール部材１０を介して連結されている。尚、ステンレス製のマニホールド８を設けないで、全体を円筒体状の石英製の処理容器で構成した装置もある。
上記処理容器４の下端は、上記マニホールド８によって支持されており、このマニホールド８の下方より多数枚の被処理体としての半導体ウエハＷを多段に載置した保持手段としての石英製のウエハボート１２が昇降可能に挿脱自在になされている。本実施例の場合において、このウエハボート１２の支柱１２Ａには、例えば５０〜１００枚程度の直径が３００ｍｍのウエハＷを略等ピッチで多段に支持できるようになっている。
【００２９】
このウエハボート１２は、石英製の保温筒１４を介してテーブル１６上に載置されており、このテーブル１６は、マニホールド８の下端開口部を開閉する例えばステンレススチール製の蓋部１８を貫通する回転軸２０上に支持される。
そして、この回転軸２０の貫通部には、例えば磁性流体シール２２が介設され、この回転軸２０を気密にシールしつつ回転可能に支持している。また、蓋部１８の周辺部とマニホールド８の下端部には、例えばＯリング等よりなるシール部材２４が介設されており、処理容器４内のシール性を保持している。
上記した回転軸２０は、例えばボートエレベータ等の昇降機構（図示せず）に支持されたアーム２６の先端に取り付けられており、ウエハボート１２及び蓋部１８等を一体的に昇降して処理容器４内へ挿脱できるようになされている。尚、上記テーブル１６を上記蓋部１８側へ固定して設け、ウエハボート１２を回転させることなくウエハＷの処理を行うようにしてもよい。
【００３０】
このマニホールド８には、処理容器４内の方へプラズマ化される窒化ガスとして、例えばアンモニア（ＮＨ３ ）ガスを供給する窒化ガス供給手段２８と、成膜ガスであるシラン系ガスとして例えばＤＣＳ（ジクロロシラン）ガスを供給するシラン系ガス供給手段３０と、ボロン含有ガスとして例えばＢＣｌ３ ガスを供給するボロン含有ガス供給手段３２と、炭化水素ガスとして例えばＣ２ Ｈ４ （エチレン）ガスを供給する炭化水素ガス供給手段３４と、パージガスとして不活性ガス、例えばＮ２ ガスを供給するパージガス供給手段３６とが設けられる。具体的には、上記窒化ガス供給手段２８は、上記マニホールド８の側壁を内側へ貫通して上方向へ屈曲されて延びる石英管よりなるガス分散ノズル３８を有している。このガス分散ノズル３８には、その長さ方向に沿って複数（多数）のガス噴射孔３８Ａが所定の間隔を隔てて形成されており、各ガス噴射孔３８Ａから水平方向に向けて略均一にアンモニアガスを噴射できるようになっている。
【００３１】
また同様に上記シラン系ガス供給手段３０も、上記マニホールド８の側壁を内側へ貫通して上方向へ屈曲されて延びる石英管よりなるガス分散ノズル４０を有している。このガス分散ノズル４０には、その長さ方向に沿って複数（多数）のガス噴射孔４０Ａが所定の間隔を隔てて形成されており、各ガス噴射孔４０Ａから水平方向に向けて略均一にシラン系ガスであるＤＣＳガスを噴射できるようになっている。また同様にボロン含有ガス供給手段３２も、上記マニホールド８の側壁を内側へ貫通して上方向へ屈曲されて延びる石英管よりなるガス分散ノズル４２を有している。このガス分散ノズル４２には、上記シラン系ガスのガス分散ノズル４０と同様にその長さ方向に沿って複数（多数）のガス噴射孔４２Ａ（図２参照）が所定の間隔を隔てて形成されており、各ガス噴射孔４２Ａから水平方向に向けて略均一にＢＣｌ３ ガスを噴射できるようになっている。
【００３２】
また同様に炭化水素ガス供給手段３４も、上記マニホールド８の側壁を内側へ貫通して上方向へ屈曲されて延びる石英管よりなるガス分散ノズル４４を有している。このガス分散ノズル４４には、上記シラン系ガスのガス分散ノズル４４と同様にその長さ方向に沿って複数（多数）のガス噴射孔４４Ａ（図２参照）が所定の間隔を隔てて形成されており、各ガス噴射孔４４Ａから水平方向に向けて略均一にＣ２ Ｈ４ ガスを噴射できるようになっている。
【００３３】
尚、前述したように、これらの４つのガス種の内、後述する成膜処理に不要なガスがある場合には、そのような成膜処理をする時、そのガス供給手段は成膜装置に設けなくてよいのは勿論である。また同様に上記パージガス供給手段３６は、上記マニホールド８の側壁を貫通して設けたガスノズル４６を有している。上記各ノズル３８、４０、４２、４４、４６には、それぞれのガス通路４８、５０、５２、５４、５６が接続されている。そして、各ガス通路４８、５０、５２、５４、５６には、それぞれ開閉弁４８Ａ、５０Ａ、５２Ａ、５４Ａ、５６Ａ及びマスフローコントローラのような流量制御器４８Ｂ、５０Ｂ、５２Ｂ、５４Ｂ、５６Ｂが介設されており、ＮＨ３ ガス、ＤＣＳガス、ＢＣｌ３ ガス、Ｃ２ Ｈ４ ガス及びＮ２ ガスをそれぞれ流量制御しつつ供給できるようになっている。これらの各ガスの供給、供給停止、ガス流量の制御及び後述する高周波のオン・オフ制御等は例えばコンピュータ等よりなる制御手段６０により行われる。またこの制御手段６０は、上記制御に加え、この装置全体の動作も制御する。そして、この制御手段６０は、上記制御を行うためのプログラムが記憶されているフロッピディスクやフラッシュメモリ等よりなる記憶媒体６２を有している。
【００３４】
一方、上記処理容器４の側壁の一部には、その高さ方向に沿ってプラズマを発生させて窒化ガスを活性化させる活性化手段６６が形成されると共に、この活性化手段６６に対向する処理容器４の反対側には、この内部雰囲気を真空排気するために処理容器４の側壁を、例えば上下方向へ削りとることによって形成した細長い排気口６８が設けられている。具体的には、上記活性化手段６６は、上記処理容器４の側壁を上下方向に沿って所定の幅で削りとることによって上下に細長い開口７０を形成し、この開口７０をその外側より覆うようにして断面凹部状になされた上下に細長い例えば石英製のプラズマ区画壁７２を容器外壁に気密に溶接接合することにより形成されている。これにより、この処理容器４の側壁の一部を凹部状に外側へ窪ませることにより一側が処理容器４内へ開口されて連通された活性化手段６６が一体的に形成されることになる。すなわちプラズマ区画壁７２の内部空間は、上記処理容器４内に一体的に連通された状態となっている。上記開口７０は、ウエハボート１２に保持されている全てのウエハＷを高さ方向においてカバーできるように上下方向に十分に長く形成されている。
【００３５】
そして、上記プラズマ区画壁７２の両側壁の外側面には、その長さ方向（上下方向）に沿って互いに対向するようにして細長い一対のプラズマ電極７４が設けられると共に、このプラズマ電極７４にはプラズマ発生用の高周波電源７６が給電ライン７８を介して接続されており、上記プラズマ電極７４に例えば１３．５６ＭＨｚの高周波電圧を印加することによりプラズマを発生し得るようになっている。尚、この高周波電圧の周波数は１３．５６ＭＨｚに限定されず、他の周波数、例えば４００ｋＨｚ等を用いてもよい。
そして、上記処理容器４内を上方向に延びていく窒化ガス用のガス分散ノズル３８は途中で処理容器４の半径方向外方へ屈曲されて、上記プラズマ区画壁７２内の一番奥（処理容器４の中心より一番離れた部分）に位置され、この一番奥の部分に沿って上方に向けて起立させて設けられている。従って、高周波電源７６がオンされている時に上記ガス分散ノズル３８のガス噴射孔３８Ａから噴射されたアンモニアガスはここで活性化されて処理容器４の中心に向けて拡散しつつ流れるようになっている。
【００３６】
そして上記プラズマ区画壁７２の外側には、これを覆うようにして例えば石英よりなる絶縁保護カバー８０が取り付けられている。また、この絶縁保護カバー８０の内側部分には、図示しない冷媒通路が設けられており、冷却された窒素ガスや冷却水を流すことにより上記プラズマ電極７４を冷却し得るようになっている。
そして上記プラズマ区画壁７２の開口７０の外側近傍、すなわち開口７０の外側（処理容器４内）には、上記シラン系ガス用のガス分散ノズル４０とボロン含有ガス用のガス分散ノズル４２と炭化水素ガス用のガス分散ノズル４４とがそれぞれ起立させて設けられており、各ノズル４０、４２、４４に設けた各ガス噴射孔４０Ａ、４２Ａ、４４Ａより処理容器４の中心方向に向けてシラン系ガスとＢＣｌ３ ガスとＣ２ Ｈ４ ガスとをそれぞれ噴射し得るようになっている。
【００３７】
一方、上記開口７０に対向させて設けた排気口６８には、これを覆うようにして石英よりなる断面コ字状に成形された排気口カバー部材８２が溶接により取り付けられている。この排気口カバー部材８２は、上記処理容器４の側壁に沿って上方に延びており、処理容器４の上方のガス出口８４より図示しない真空ポンプ等を介設した真空排気系により真空引きされる。そして、この処理容器４の外周を囲むようにしてこの処理容器４及びこの内部のウエハＷを加熱する筒体状の加熱手段８６が設けられている。
【００３８】
次に、以上のように構成された成膜装置２を用いて行なわれるプラズマによる本発明の成膜方法（いわゆるＡＬＤ成膜）について説明する。
＜成膜方法の第１実施例＞
まず、本発明方法の第１実施例について説明する。
図３は本発明の成膜方法の第１実施例における各種ガスの供給のタイミングとＲＦ（高周波）の印加タイミングを示すタイミングチャートである。この第１実施例では、シラン系ガス（ＤＣＳ）と窒化ガス（ＮＨ３ ）とボロン含有ガス（ＢＣｌ３ ）と炭化水素ガス（Ｃ２ Ｈ４ ）を用いて半導体ウエハ上にＳｉＢＣＮ薄膜を形成する。すなわち、この第１実施例では、上記シラン系ガスとボロン含有ガスと炭化水素ガスの３種類のガスの同時供給と前記窒化ガスの供給とを間欠的に且つ交互に行うようにする。
まず、常温の多数枚、例えば５０〜１００枚の３００ｍｍサイズのウエハＷが載置された状態のウエハボート１２を予め所定の温度になされた処理容器４内にその下方より上昇させてロードし、蓋部１８でマニホールド８の下端開口部を閉じることにより容器内を密閉する。
【００３９】
そして処理容器４内を真空引きして所定のプロセス圧力に維持すると共に、加熱手段８６への供給電力を増大させることにより、ウエハ温度を上昇させてプロセス温度を維持する。上記ＤＣＳガスをシラン系ガス供給手段３０から供給し、ＢＣｌ３ ガスをボロン含有ガス供給手段３２から供給し、Ｃ２ Ｈ４ ガスを炭化水素ガス３４から供給し、そして、ＮＨ３ ガスを窒化ガス供給手段２８から供給する。具体的には、図３に示すように、ＤＣＳガスとＢＣｌ３ ガスとＣ２ Ｈ４ ガスの３種類のガスの同時供給と、ＮＨ３ ガスの供給とを間欠的に且つ交互に行うようにする。これにより、回転しているウエハボート１２に支持されているウエハＷの表面にＳｉＢＣＮ薄膜を形成する。この際、ＮＨ３ ガスを単独で供給する時に、全供給時間に亘って、或いは全供給時間の一部において高周波電源（ＲＦ電源）６２をオンしてプラズマを立てるようにする。尚、図３（Ｅ）ではＮＨ３ ガスの供給開始から所定時間経過してから高周波を印加するようにしている。
【００４０】
具体的には、ＮＨ３ ガスはガス分散ノズル３８の各ガス噴射孔３８Ａから水平方向へ噴射され、また、ＤＣＳガスはガス分散ノズル４０の各ガス噴射孔４０Ａから水平方向へ噴射され、またＢＣｌ３ はガス分散ノズル４２の各ガス噴射孔４２Ａから水平方向へ噴射され、またＣ２ Ｈ４ ガスはガス分散ノズル４４の各ガス噴射孔４４Ａから水平方向へ噴射され、各ガスが反応してＳｉＢＣＮ薄膜が形成される。この場合、上記各ガスは、連続的に供給されるのではなく、図３に示すようにＤＣＳ、ＢＣｌ３ 及びＣ２ Ｈ４ ガスは同じタイミングで間欠的に、パルス状に供給する。ＮＨ３ ガスは上記３種類のガスの供給からタイミングをずらして上記３種のガスの供給停止の時に供給する。そして、タイミングをずらしたガス同士は、間に間欠期間（パージ期間）９０を挟んで交互に間欠的に繰り返し供給され、ＳｉＢＣＮ薄膜を一層ずつ繰り返し積層する。すなわち、図３（Ａ）、図３（Ｃ）及び図３（Ｄ）に示すように、ＤＣＳとＢＣｌ３ とＣ２ Ｈ４ とは常に同時に、共通のタイミングで間欠的に供給される。これに対して、図３（Ｂ）に示すようにＮＨ３ は上記ＤＣＳ、ＢＣｌ３ 、Ｃ２ Ｈ４ ガスの供給休止期間の略中央にて単独で供給される。また間欠期間９０においては真空引きが継続されて容器内に残留するガスを排除している。そして、ＮＨ３ ガスを単独で流す時には、図３（Ｅ）に示すようにＲＦ電源がオンされてプラズマが立てられて、供給されるＮＨ３ ガスを活性化して活性種等が作られ、反応（分解）が促進される。
【００４１】
この場合、ＮＨ３ ガスの供給期間の全期間に亘ってＲＦ電源をオンしてもよいし、図３（Ｂ）及び図３（Ｅ）に示すようにＮＨ３ ガスの供給開始から所定の時間Δｔが経過した後に、ＲＦ電源をオンするようにしてもよい。この所定の時間ΔｔとはＮＨ３ ガスの流量が安定するまでの時間であり、例えば５秒程度である。このように、ＮＨ３ ガスの流量が安定化した後にＲＦ電源をオンすることにより、ウエハＷの面間方向（高さ方向）における活性種の濃度均一性を向上できる。また間欠期間９０では、不活性ガスであるＮ２ ガスを処理容器４内へ供給して残留ガスを排除するようにしてもよいし（不活性ガスパージ）、或いは、全てのガスの供給を停止したまま真空引きを継続して行うことにより（バキュームとも称す）、処理容器４内の残留ガスを排除するようにしてもよい。更には、間欠期間９０の前半はバキュームを行い、後半は不活性ガスパージを行うようにしてもよい。
【００４２】
この場合、吸着工程であるＤＣＳ、ＢＣｌ３ 及びＣ２ Ｈ４ ガスの供給期間Ｔ１は１０秒程度、反応工程（窒化工程）である単独のＮＨ３ ガスの供給期間Ｔ２は２０秒程度、パージ期間である間欠期間９０の長さＴ３は５〜１５秒程度、ＲＦ電源のオン時間Ｔ４は１０秒程度であるが、これらの各時間は単に一例を示したに過ぎず、この数値に限定されない。通常、１サイクルによって形成される膜厚は１．１〜１．３Å／サイクル程度であるので、目標膜厚が例えば７００Åであるならば、６００サイクル程度繰り返し行うことになる。上記のように成膜処理を行うことにより、形成されるＳｉＢＣＮ薄膜の誘電率を非常に低くでき、且つそのドライエッチング時のエッチング耐性を大幅に向上させることができる。
その理由は、次のように考えられる。すなわち、一般的にはシリコン窒化膜（ＳｉＮ）にボロンを添加するとエッチング耐性は劣化するが、上記実施例のように、更にＮＨ３ ガスの供給時にプラズマでＮＨ３ ガスを活性化させると窒化が促進される結果、Ｓｉ−Ｈ結合が減少してエッチング耐性の強いＳｉ−Ｎ結合が増加するからであると考えられる。
【００４３】
また、上記のように、シリコン窒化膜を成膜する際に、炭化水素ガスとして例えばＣ２ Ｈ４ ガスを処理容器８内へ供給することにより、ウエハ表面に形成される膜中に炭素成分が含有された状態となる。このように、膜中に炭素成分が含有されると、従来の成膜温度、例えば７６０℃程度よりも低い温度、例えば５５０℃で成膜したにもかかわらず、この表面のクリーニング処理時やエッチング処理時に用いられる希フッ酸に対するエッチングレートを小さくでき、この結果、クリーニング処理時にこの薄膜が過度に削り取られることを防止して、この膜厚の制御性を向上させることが可能となる。またエッチングストッパ膜や層間絶縁膜としての機能も十分に果すことができる。
【００４４】
またＤＣＳガスを間欠的に供給して間欠期間Ｔ３を間欠的に設けるようにしているので、各間欠期間Ｔ３の直前で成膜されたＳｉＢＣＮ膜の表面が間欠期間Ｔ３で改質されて膜質が向上するので、エッチングレートを一層抑制することができる。この間欠処理時の原子レベルの作用は次のように考えられる。すなわち、炭素原子を含有するＳｉＢＣＮ膜の成膜時には、この薄膜の最表面にＤＣＳガス中の付着乃至堆積時に脱離できなかったＣｌ原子が活性化状態で結合しているが、ＤＣＳガスの供給が停止される間欠期間Ｔ３を設けることで、この間欠期間Ｔ３においてＣ２ Ｈ４ ガスやＮＨ３ ガス中のＣ原子やＮ原子が上記薄膜最表面のＣｌ原子と置換されて膜中のＣｌ成分が減少し、結果的にエッチングレートを抑制でき、特にＣ２ Ｈ４ ガスを用いることにより膜中に取り込まれるＣ原子の量が増加することとなるのでエッチングレートを一層抑制することが可能となる。
またシリコン窒化膜にボロンと炭素を添加すると、入れない場合と比較して成膜レートが２０〜３０％程度上げることができる。この理由は、炭素の添加によりウエハ表面に対するボロンの吸着が促進されるからである、と考えられる。
【００４５】
ここで上記成膜処理のプロセス条件について説明すると、ＤＣＳガスの流量は５０〜２０００ｓｃｃｍの範囲内、例えば１０００ｓｃｃｍ（１ｓｌｍ）であり、ＮＨ３ ガスの流量は５００〜５０００ｓｃｃｍの範囲内、例えば１０００ｓｃｃｍであり、ＢＣｌ３ ガスの流量は１〜１５ｓｃｃｍの範囲内、例えば４ｓｃｃｍであり、Ｃ２ Ｈ４ ガスの流量は２００〜２０００ｓｃｃｍの範囲内、例えば５００ｓｃｃｍである。ここでＣ２ Ｈ４ ガスの流量はＤＣＳガスの流量の３倍以下である。その理由は、炭化水素ガスであるＣ２ Ｈ４ ガスの流量が過度に多過ぎると、膜質が急激に低下する、という不都合が生ずるからである。
【００４６】
またプロセス温度はＣＶＤ成膜処理よりも低い温度であり、具体的には３００〜７００℃の範囲内、好ましくは５５０〜６３０℃の範囲内である。このプロセス温度が３００℃よりも低いと、反応が生ぜずにほとんど膜が堆積せず、また７００℃よりも高い場合には、膜質の劣るＣＶＤによる堆積膜が形成されてしまうのみならず、前工程ですでに形成されている金属膜等に熱的ダメージを与えてしまう。
またプロセス圧力は１３Ｐａ（０．１Ｔｏｒｒ）〜１３３００Ｐａ（１００Ｔｏｒｒ）の範囲内、好ましくは４０Ｐａ（０．３Ｔｏｒｒ）〜２６６Ｐａ（２Ｔｏｒｒ）の範囲内であり、例えば吸着工程では１Ｔｏｒｒ、プラズマを用いる窒化工程では０．３Ｔｏｒｒである。ここでプロセス圧力が１３Ｐａよりも小さい場合には、成膜レートが実用レベル以下になってしまう。またプロセス圧力が１３３００Ｐａまでは、ウエハＷに対する反応は吸着反応が主流であるので、膜質が良好な薄膜を高い成膜速度で安定的に堆積させることができ、良好な結果を得ることができる。
しかし、プロセス圧力が１３３００Ｐａよりも大きくなると、反応形態が吸着反応から気相反応へ移行してこの気相反応が主流となり、この結果、膜厚の面間及び面内均一性が低下するのみならず、気相反応に起因するパーティクルが急激に増大するので好ましくない。
【００４７】
＜成膜方法の第２実施例＞
次に本発明の成膜方法の第２実施例について説明する。
図４は本発明の成膜方法の第２実施例における各種ガスの供給のタイミングとＲＦ（高周波）の印加タイミングを示すタイミングチャートである。
この第２実施例ではシラン系ガス（ＤＣＳ）と窒化ガス（ＮＨ３ ）と炭化水素ガス（Ｃ２ Ｈ４ ）を用いて半導体ウエハ上にＳｉＣＮ薄膜（炭素含有シリコン窒化膜）を形成する。すなわち、この第２実施例では、上記シラン系ガスと炭化水素ガスの２種類のガスの同時供給と前記窒化ガスの供給とを間欠的に且つ交互に行うようにする。
【００４８】
この第２実施例は、先の図３に示す１実施例においてボロン含有ガスであるＢＣｌ３ ガスの供給を全く行わないようにして成膜を行った方法に対応するものであり、膜中にはボロン（Ｂ）が添加されていない。従って、この第２実施例を行う場合には、図１に示す成膜装置において、ボロン含有ガス供給手段３２は不要となる。尚、この第２実施例のプロセス条件は、ボロン含有ガスに関する条件を除き、先の第１実施例の場合と同じである。
この第２実施例の場合にも、シリコン窒化膜中に炭素成分が含有されることになるので、第１実施例の場合と同様に、従来の成膜温度、例えば７６０℃程度よりも低い温度、例えば５５０℃で成膜したにもかかわらず、この表面のクリーニング処理時やエッチング処理時に用いられる希フッ酸に対するエッチングレートを小さくでき、この結果、クリーニング処理時にこの薄膜が過度に削り取られることを防止して、この膜厚の制御性を向上させることが可能となる。またエッチングストッパ膜や層間絶縁膜としての機能も十分に果すことができる。
【００４９】
＜成膜方法の第３実施例＞
次に本発明の成膜方法の第３実施例について説明する。
図５は本発明の成膜方法の第３実施例における各種ガスの供給のタイミングとＲＦ（高周波）の印加タイミングを示すタイミングチャートである。
この第３実施例では窒化ガス（ＮＨ３ ）とボロン含有ガスと炭化水素ガス（Ｃ２ Ｈ４ ）を用いて半導体ウエハ上にＢＣＮ薄膜（炭素含有ボロン窒化膜）を形成する。すなわち、この第３実施例では、上記ボロン含有ガスと炭化水素ガスの２種類のガスの同時供給と上記窒化ガスの供給とを間欠的に且つ交互に行うようにする。
【００５０】
この第３実施例は、先の図３に示す第１実施例においてシラン系ガスであるＤＣＳガスの供給を全く行わないようにして成膜を行った方法に対応するものであり、膜中にはＳｉ（シラン）が添加されていない。従って、この第３実施例を行う場合には、図１に示す成膜装置において、シラン系ガス供給手段３０は不要となる。尚、この第３実施例のプロセス条件は、シラン系ガスに関する条件を除き、先の第１実施例の場合と同じである。
この第３実施例の場合には、化学的性質がシリコンに似たボロンを用いてボロン窒化膜を形成しており、このボロン窒化膜中に炭素成分が含有されることになるので、第１実施例の場合と同様に、従来の成膜温度、例えば７６０℃程度よりも低い温度、例えば５５０℃で成膜したにもかかわらず、この表面のクリーニング処理時やエッチング処理時に用いられる希フッ酸に対するエッチングレートを小さくでき、この結果、クリーニング処理時にこの薄膜が過度に削り取られることを防止して、この膜厚の制御性を向上させることが可能となる。またエッチングストッパ膜や層間絶縁膜としての機能も十分に果すことができる。
【００５１】
＜成膜方法の第４実施例＞
次に本発明の成膜方法の第４実施例について説明する。
図６は本発明の成膜方法の第４実施例における各種ガスの供給のタイミングとＲＦ（高周波）の印加タイミングを示すタイミングチャート、図７は第４実施例で形成される薄膜の積層構造の一例を示す断面図である。
この第４実施例ではシラン系ガス（ＤＣＳ）と窒化ガス（ＮＨ３ ）とボロン含有ガス（ＢＣｌ３ ）と炭化水素ガス（Ｃ２ Ｈ４ ）を用いて半導体ウエハ上に図７に示すようにＳｉＢＮ薄膜９２とＳｉＣＮ薄膜９４の繰り返し積層構造を形成する。尚、上記ＳｉＢＮ薄膜９２とＳｉＣＮ薄膜９４は、少なくとも共に一層形成すればよい。すなわち、この第４実施例では、上記シラン系ガスとボロン含有ガスの２種類のガスを短時間だけ同時供給する第１工程と、上記窒化ガスを短時間だけ供給してＳｉＢＮ薄膜を形成する第２工程と、上記シラン系ガスと炭化水素ガスの２種類のガスを短時間だけ同時供給する第３工程と、上記窒化ガスを短時間だけ供給してＳｉＣＮ薄膜を形成する第４工程とを、上記順序に従って１回、または複数回繰り返し行うようにする。
【００５２】
この第４実施例は、先の図３に示す第１実施例において炭化水素ガスであるＣ２ Ｈ４ ガスの供給を全く行わない成膜方法の１サイクルと図４に示す第２実施例の成膜方法の１サイクルとを連結（連続）して新たな１サイクルとし、この新たな１サイクルを１回、或いは複数回繰り返すようにして成膜を行った方法である。図７は３サイクルの処理を行った時の状態を示している。尚、この第４実施例のプロセス条件は、炭化水素ガスに関する条件を除いた先の第１実施例と先の第２実施例の場合と同じである。
この第４実施例の場合には、図７に示すように、ＳｉＢＮ薄膜９２とＳｉＣＮ薄膜９４とが交互に１回、または複数層重ねられた積層構造となるので、積層構造全体から見ればＳｉＢＣＮ薄膜と似た特性を示すことになる。
【００５３】
この第４実施例の場合にも、シリコン窒化膜中に炭素成分やボロン成分が含有されることになるので、第１実施例の場合と同様に、従来の成膜温度、例えば７６０℃程度よりも低い温度、例えば５５０℃で成膜したにもかかわらず、この表面のクリーニング処理時やエッチング処理時に用いられる希フッ酸に対するエッチングレートを小さくでき、この結果、クリーニング処理時にこの薄膜が過度に削り取られることを防止して、この膜厚の制御性を向上させることが可能となる。またエッチングストッパ膜や層間絶縁膜としての機能も十分に果すことができる。また、ボロン元素も含有されるので、そのエッチング耐性を一層向上させることができる。
【００５４】
＜各実施例の評価＞
次に、上記第１乃至第３実施例を用いて各薄膜を形成して評価を行ったので、その評価結果について説明する。
図８は第１乃至第３実施例により形成された各薄膜のエッチングレートの評価結果を示すグラフである。ここでは、第１〜第３実施例を用いて形成した薄膜としてＳｉＢＣＮ薄膜、ＳｉＣＮ薄膜及びＢＣＮ薄膜の各エッチングレートをそれぞれ示しており、併せて炭素（Ｃ）成分を含まない各薄膜のエッチングレートもそれぞれ基準として併記している。この評価を行うときの成膜温度は５５０℃であり、エッチング液としては１％の希釈フッ化水素水を用いた。
【００５５】
図８から明らかなように、各膜中に炭素成分を入れた膜種の場合には、炭素成分を入れない膜種よりも全てエッチングレートを低下させることができ、膜質の改善を図れることが確認できた。例えばＳｉＢＣＮ薄膜はＳｉＢＮ薄膜に対して１３．８％改善することができ、ＳｉＣＮ薄膜はＳｉＮ薄膜に対して６．８％改善することができ、ＢＣＮ薄膜はＢＮ薄膜に対して４８％改善することができ、これにより炭素を含有させることの有用性を確認することができた。
【００５６】
上記各第１乃至第４実施例にあっては、プラズマによりＮＨ３ ガスを活性化させて反応を促進させたが、ＮＨ３ ガスを活性化させないようにしてもよい。この場合には、プラズマを用いないことによるエネルギーの低下を補償するためにプロセス温度を少し上げて成膜処理を行うようにする。
また上記各実施例では、炭化水素ガスとしてはエチレンガスを用いたが、これに限定されず、アセチレン、エチレン、メタン、エタン、プロパン、ブタンよりなる群より選択される１または２以上のガスを用いることができる。
【００５７】
また上記各実施例では、シラン系ガスとしてＤＣＳガスを用いたが、これに限定されず、ジクロロシラン（ＤＣＳ）、ヘキサクロロジシラン（ＨＣＤ）、モノシラン［ＳｉＨ４ ］、ジシラン［Ｓｉ２ Ｈ６ ］、ヘキサメチルジシラザン（ＨＭＤＳ）、テトラクロロシラン（ＴＣＳ）、ジシリルアミン（ＤＳＡ）、トリシリルアミン（ＴＳＡ）、ビスターシャルブチルアミノシラン（ＢＴＢＡＳ）よりなる群より選択される１以上のガスを用いることができる。
【００５８】
また、上記各実施例では、窒化ガスとしてＮＨ３ ガスを用いたが、これに限定されず、アンモニア［ＮＨ３ ］、窒素［Ｎ２ ］、一酸化二窒素［Ｎ２ Ｏ］、一酸化窒素［ＮＯ］よりなる群より選択される１以上のガスを用いることができる。
また、上記各実施例では、ボロン含有ガスとしてＢＣｌ３ ガスを用いたが、これに限定されず、ＢＣｌ３ 、Ｂ２ Ｈ６ 、ＢＦ３ 、Ｂ（ＣＨ３ ）３ よりなる群より選択される１以上のガスを用いることができる。
また被処理体としては、半導体ウエハに限定されず、ガラス基板やＬＣＤ基板等にも本発明を適用することができる。
【図面の簡単な説明】
【００５９】
【図１】本発明の係る成膜装置の一例を示す縦断面構成図である。
【図２】成膜装置を示す横断面構成図である。
【図３】本発明の成膜方法の第１実施例における各種ガスの供給のタイミングとＲＦ（高周波）の印加タイミングを示すタイミングチャートである。
【図４】本発明の成膜方法の第２実施例における各種ガスの供給のタイミングとＲＦ（高周波）の印加タイミングを示すタイミングチャートである。
【図５】本発明の成膜方法の第３実施例における各種ガスの供給のタイミングとＲＦ（高周波）の印加タイミングを示すタイミングチャートである。
【図６】本発明の成膜方法の第４実施例における各種ガスの供給のタイミングとＲＦ（高周波）の印加タイミングを示すタイミングチャートである。
【図７】第４実施例で形成される薄膜の積層構造の一例を示す断面図である。
【図８】第１乃至第３実施例により形成された各薄膜のエッチングレートの評価結果を示すグラフである。
【符号の説明】
【００６０】
２  成膜装置
４  処理容器
１２  ウエハボート（保持手段）
２８  窒化ガス供給手段
３０  シラン系ガス供給手段
３２  ボロン含有ガス供給手段
３４  炭化水素ガス供給手段
３８，４０，４２，４４  ガス分散ノズル
６０  制御手段
６２  記憶媒体
６６  活性化手段
７４  プラズマ電極
７６  高周波電源
８６  加熱手段
Ｗ  半導体ウエハ（被処理体）
【図１】
2006287194.tif 000003
【図２】
2006287194.tif 000004
【図３】
2006287194.tif 000005
【図４】
2006287194.tif 000006
【図５】
2006287194.tif 000007
【図６】
2006287194.tif 000008
【図７】
2006287194.tif 000009
【図８】
2006287194.tif 000010